(57)【要約】【課題】  耐力上必要のない壁材を下側から支持するコンクリートの立ち上がり部分と床とを別個に構築する際に、施工を容易なものとするとともに、確実に漏水対策を行う。【解決手段】  スラブコンクリート１００の上部に設けた支持プレート２０と、支持プレート２０から上方へ向かって突出するように設けた支持部材３０と、支持部材３０の上部に設けた載置部材４０と、載置部材４０の上部に載置して、壁材１０を下側から支持する台部材５０と、スラブコンクリート１００のスラブ筋８０に支持プレート２０を固定する固定部材６０とを備える。【選択図】図１
2019039268.tif 000002
【特許請求の範囲】
【請求項１】
耐力上必要のない壁材を下側から支持する構造であって、
スラブコンクリートの上部に設けた支持プレートと、
前記支持プレートから上方へ向かって突出するように設けた支持部材と、
前記支持部材の上部に設けた載置部材と、
前記載置部材の上部に載置して、壁材を下側から支持する台部材と、
前記スラブコンクリートのスラブ筋に前記支持プレートを固定する固定部材と、
を備えたことを特徴とする壁材の支持構造。
【請求項２】
前記固定部材は、
前記支持プレートに挿通するボルトと、
前記ボルトに取り付けるナットと、
前記ナットから延長して設けた軸材の先端部を屈曲させて形成したフックと、
を備え、
前記スラブ筋に前記固定部材のフックを引っ掛けて、前記ボルトをナットにネジ付けることにより、前記スラブ筋に対して前記支持プレートを固定した状態とする、
ことを特徴とする請求項１に記載の壁材の支持構造。
【請求項３】
前記載置部材の高さを調整する高さ調整部材を備えた、
ことを特徴とする請求項１又は２に記載の壁材の支持構造。
【請求項４】
前記台部材の下面に、前記載置部材が嵌まり込むとともに、内面が湾曲した嵌合凹部を設け、
前記載置部材の上端部は、前記嵌合凹部に嵌まり込むように、外面が湾曲した嵌合凸部を有している、
ことを特徴とする請求項１〜３のいずれか１項に記載の壁材の支持構造。
【請求項５】
耐力上必要のない壁材を下側から支持する方法であって、
スラブコンクリートの上部において、固定部材を用いて支持プレートを固定し、
前記支持プレートに、当該支持プレートから上方へ向かって突出する支持部材を取り付け、
前記支持部材の上部に設けた載置部材の上部に、壁材を下側から支持する台部材を載置し、
前記スラブコンクリートと前記台部材とを一体として、
前記台部材により前記壁材を下側から支持する、
ことを特徴とする壁材の支持方法。
【請求項６】
前記固定部材は、前記支持プレートに挿通するボルトと、前記ボルトに取り付けるナットと、前記ナットから延長して設けた軸材の先端部を屈曲させて形成したフックとを備えており、
前記スラブコンクリートのスラブ筋に前記支持プレートを固定する際に、前記スラブ筋に前記固定部材のフックを引っ掛けて、前記ボルトをナットにネジ付けることにより、前記スラブ筋に対して前記支持プレートを固定する、
ことを特徴とする請求項５に記載の壁材の支持方法。
【発明の詳細な説明】
【技術分野】
【０００１】
本発明は、壁材の支持構造及び支持方法に関するものであり、特に、耐力上必要のない壁材（ＡＬＣ壁材等）を下側から支持するための支持構造及び支持方法に関するものである。
【背景技術】
【０００２】
共用廊下やバルコニーに面する外壁の足元部は漏水しやすい部分である。現在、このような部位の漏水対策方法として、コンクリートの立ち上がり部分を床と同時に構築することが主流となっている。しかし、コンクリートの立ち上がり部分を床と同時に構築する方法は、施工が難しく、熟練した技術が必要であり、施工の段取りや工期に影響を与えるおそれがある。
【０００３】
コンクリートの立ち上がり部分と床とを別個に構築するには、床を構築した後に、その上面にコンクリートの立ち上がり部分を構築しなければならない。この際、床の上面にコンクリートの立ち上がり部分を固定するための構造が必要となる。
【０００４】
ＰＣブロックの敷設構造やコンクリートスラブ用アンカーに関する技術は種々開示されているが（例えば、特許文献１、特許文献２参照）、コンクリートの立ち上がり部分と床とを別個に構築する際に、これらの技術をそのまま適用することはできない。
【０００５】
特許文献１に記載された技術は、ＰＣブロックの敷設構造に関するものである。このＰＣブロックの敷設構造は、矩形状のＰＣブロックの下面に複数のボルトを突出させる。そして、ボルトに固定金具の孔部を挿通させ、固定金具を介してナットをネジ付ける。また、ＰＣブロックの側面には、隣り合うＰＣブロックの側面へ当接して目地幅を所定寸法にて確保する目地幅保持凸部を形成する。さらに、根太材の上部側のフランジ上にＰＣブロックを載置した際に、フランジの端部に当接する突出部を有する位置決め部材を固定金具に設ける。このような構造とすることにより、固定金具を回動させて、位置決め部材の突出部の突出方向を変えてフランジに対するＰＣブロックの位置を調整する。そして、ナットをねじ込んでＰＣブロックの下面と固定金具とによってフランジを挟持してＰＣブロックを根太材に固定することができるとしている。
【０００６】
特許文献２に記載された技術は、コンクリートスラブ用アンカーに関するものである。このコンクリートスラブ用アンカーは、型枠を敷き詰め、型枠に鉄筋を配筋し、型枠に埋込体を配置して鉄筋又は受け台に固定し、型枠にアンカー用貫通孔を形成する。そして、位置調整ナットを予め緩め、アンカー部材をアンカー用貫通孔に挿通して抜け止め部をアンカー用貫通孔の周縁に引っ掛け、位置調整ナットを上方から締め付けることにより、アンカー部材と鉤部との距離を調整し、確実に埋込体を固定することができるとしている。
【先行技術文献】
【特許文献】
【０００７】
【特許文献１】特開平１１−１４８２１９号公報
【特許文献２】特開２０１７−４８５０５号公報
【発明の概要】
【発明が解決しようとする課題】
【０００８】
上述したように、コンクリートの立ち上がり部分と床とを別個に構築した場合に、容易かつ確実に漏水対策を行うことができる技術は考案されていない。本発明は、このような事情に鑑み提案されたもので、耐力上必要のない壁材を下側から支持するコンクリートの立ち上がり部分と床とを別個に構築する際に、施工を容易なものとするとともに、確実に漏水対策を行うことが可能な壁材の支持構造及び支持方法を提供することを目的とする。
【課題を解決するための手段】
【０００９】
本発明に係る壁材の支持構造及び支持方法は、上述した目的を達成するため、以下の特徴点を有している。すなわち、本発明に係る壁材の支持構造及び支持方法は、耐力上必要のない壁材を下側から支持する構造及び方法に関するものである。
【００１０】
本発明に係る壁材の支持構造は、スラブコンクリートの上部に設けた支持プレートと、支持プレートから上方へ向かって突出するように設けた支持部材と、支持部材の上部に設けた載置部材と、載置部材の上部に載置して、壁材を下側から支持する台部材と、スラブコンクリートのスラブ筋に支持プレートを固定する固定部材とを備えたことを特徴とするものである。
【００１１】
前記壁材の支持構造において、固定部材は、支持プレートに挿通するボルトと、ボルトに取り付けるナットと、ナットから延長して設けた軸材の先端部を屈曲させて形成したフックとを備えており、スラブ筋に固定部材のフックを引っ掛けて、ボルトをナットにネジ付けることにより、スラブ筋に対して支持プレートを固定した状態とすることが可能である。
【００１２】
また、前記壁材の支持構造において、載置部材の高さを調整する高さ調整部材を備えた構成とすることが可能である。
【００１３】
また、前記壁材の支持構造において、台部材の下面に、載置部材が嵌まり込むとともに、内面が湾曲した嵌合凹部を設け、載置部材の上端部は、嵌合凹部に嵌まり込むように、外面が湾曲した嵌合凸部を有した構成とすることが可能である。
【００１４】
本発明に係る壁材の支持方法は、スラブコンクリートの上部において、固定部材を用いてスラブ筋に支持プレートを固定し、支持プレートに、当該支持プレートから上方へ向かって突出する支持部材を取り付け、支持部材の上部に設けた載置部材の上部に、壁材を下側から支持する台部材を載置し、スラブコンクリートと台部材とを一体として、台部材により壁材を下側から支持することを特徴とするものである。スラブコンクリートと台部材とを一体とするには、スラブコンクリートの上部に、台部材の下部が埋設する位置までコンクリートを打設すればよい。
【００１５】
前記壁材の支持方法において、支持プレートに挿通するボルトと、ボルトに取り付けるナットと、ナットから延長して設けた軸材の先端部を屈曲させて形成したフックとを備えた固定部材を用いて、スラブコンクリートのスラブ筋に支持プレートを固定する。この際、スラブ筋に固定部材のフックを引っ掛けて、ボルトをナットにネジ付けることにより、スラブ筋に対して支持プレートを固定することが可能である。
【発明の効果】
【００１６】
本発明に係る壁材の支持構造及び支持方法によれば、耐力上必要のない壁材を下側から支持する際に、コンクリートの立ち上がり部分と床とを別個に構築することにより、施工を容易なものとするとともに、確実に漏水対策を行うことが可能となる。
【００１７】
また、スラブコンクリートのスラブ筋に支持プレートを固定する際に、スラブ筋に固定部材のフックを引っ掛けて、ボルトをナットにネジ付けることにより、スラブ筋に対して支持プレートを固定することができるので、壁材の支持構造をより一層容易に構築することができる。
【図面の簡単な説明】
【００１８】
【図１】本発明の実施形態に係る壁材の支持構造の一例を示す側面図。
【図２】図１に示す支持プレートの上面図。
【図３】固定部材を構成するボルト、ナット、フックの形状を示す説明図。
【図４】本発明の実施形態に係る壁材の支持構造の他の例を示す側面図。
【図５】本発明の実施形態に係る壁材の支持構造のさらに他の例を示す側面図。
【発明を実施するための形態】
【００１９】
以下、図面を参照して、本発明の実施形態に係る壁材の支持構造及び支持方法を説明する。図１〜図５は本発明の実施形態に係る壁材の支持構造及び支持方法を説明するもので、図１は壁材の支持構造の一例を示す側面図、図２は支持プレートの上面図、図３は固定部材を構成するボルト、ナット、フックの形状を示す説明図、図４及び図５は壁材の支持構造の他の例を示す側面図である。
【００２０】
図１、図４、図５において、図面の一部は断面図となっている。また、図３において、（ａ）はナット及びフックを上方から見た状態、（ｂ）及び（ｃ）はナット及びフックを側方から角度を変えて見た状態、（ｄ）はボルトを側方から見た状態を示している。
【００２１】
本発明の実施形態に係る壁材の支持構造及び支持方法は、耐力上必要のない壁材１０（例えば、玄関に用いる壁材）を下側から支持する際に、コンクリートの立ち上がり部分と床とを別個に構築する際に適用する技術である。この壁材１０の支持構造及び支持方法では、基本的な構成要素として、支持プレート２０と、支持部材３０と、載置部材４０と、台部材５０と、固定部材６０とを備えている。以下、各部材の構造とその役割について説明する。
【００２２】
＜支持プレート＞
支持プレート２０は、図１及び図２に示すように、スラブコンクリート１００の上部に設けてあり、壁材１０を下側から支持する台部材５０を支持するための部材である。図１に示す例は、トラス筋１１１が埋め込まれた型枠兼用の鉄筋コンクリート板１１０の上部に支持プレート２０を取り付けてあり、図４に示す例では、長さ方向に複数の中空孔を有し、当該中空孔にＰＣ鋼線を挿通してプレストレスを与えたコンクリートパネル１２０の上部に支持プレート２０を取り付けてある。この支持プレート２０は、例えば長方形の鋼板製であり、支持部材３０を取り付けるための支持部材取付孔２１と、固定部材６０のボルト６１を挿通するための固定部材ボルト挿通孔２２とを設けてある。なお、図２に示す例では、支持部材取付孔２１と固定部材ボルト挿通孔２２が一連の長孔となっているが、支持部材取付孔２１と固定部材ボルト挿通孔２２とは別個に設けてもよい。
【００２３】
＜支持部材＞
支持部材３０は、図１に示すように、支持プレート２０から上方へ向かって突出するように設けた部材であって、この支持部材３０の上部に載置部材４０を設けることにより、一体となった支持プレート２０と支持部材３０と載置部材４０とにより台部材５０を下側から支持するようになっている。この支持部材３０は、例えば、２本の丸棒ネジからなり、下端側を支持プレート２０に設けた支持部材取付孔２１に挿通し、支持プレート２０を挟むようにして丸棒ネジに取り付けたナット２３により、支持プレート２０に取り付けられている。丸棒ネジに対するボルトの取付位置（取付高さ）を調整することにより、支持部材３０の高さ（支持プレート２０からの突出量）を調整することができる。
【００２４】
＜載置部材＞
載置部材４０は、図１に示すように、支持部材３０の上部に設けた部材であり、上述したように、一体となった支持プレート２０と支持部材３０と載置部材４０とにより台部材５０を下側から支持するようになっている。この載置部材４０は、例えば、丸棒ネジの上端部に取り付けた高さ調整部材７０を介して丸棒ネジに固定するボルト状の部材からなり、高さ調整部材７０にネジ付けるネジ部４１と、ネジ部４１の上端部に設けた頭部４２を備えている。また、載置部材４０の頭部４２は外面が湾曲した嵌合凸部４３となっており、台部材５０の下面に設けた嵌合凹部５１に嵌まり込むようになっている。高さ調整部材７０にネジ付ける丸棒ネジ又は載置部材４０の少なくとも一方の位置を調整することにより、載置部材４０の高さ（支持プレート２０からの突出量）を調整することができる。本実施形態の高さ調整部材７０は、高ナット（長ナット）により構成されている。
【００２５】
＜台部材＞
台部材５０は、図１に示すように、載置部材４０の上部に載置して、壁材１０を下側から支持するための部材であり、支持プレート２０と支持部材３０と載置部材４０と一体となって、壁材１０を下側から支持するようになっている。この台部材５０は、例えば、作業者が手持ちで移動可能なＰＣブロックからなる。また、台部材５０の下面には、載置部材４０の頭部４２が嵌まり込むとともに、内面が湾曲した嵌合凹部５１を設けてある。
【００２６】
＜固定部材＞
固定部材６０は、図１に示すように、スラブコンクリート１００のスラブ筋８０に支持プレート２０を固定するための部材である。この固定部材６０は、例えば、図３に示すように、支持プレート２０に挿通するボルト６１と、ボルト６１に取り付けるナット６２と、ナット６２から延長して設けた軸材の先端部を屈曲させて形成した２本のフック６３とからなる。そして、支持プレート２０に設けた固定部材ボルト挿通孔２２にボルト６１を挿通するとともに、スラブ筋８０にフック６３を引っ掛けて、ボルト６１をナット６２にネジ付けることにより、スラブ筋８０に対して支持プレート２０を固定した状態とすることができる。
【００２７】
＜壁材の支持方法＞
耐力上必要のない壁材１０を下側から支持するには、図１に示すように、予め、スラブコンクリート１００の上部に台部材５０を配置しておく。すなわち、スラブコンクリート１００の上部に、固定部材６０を用いて支持プレート２０を固定し、支持プレート２０に、当該支持プレート２０から上方へ向かって突出する支持部材３０を取り付け、支持部材３０の上部に設けた載置部材４０の上部に、壁材１０を下側から支持する台部材５０を載置する。そして、スラブコンクリート１００と台部材５０との間にコンクリートを打設して、スラブコンクリート１００と台部材５０とを一体とする。これにより、台部材５０の上部に壁材１０の下端部を載置して、壁材１０を下側から支持することができる。
【００２８】
上述した工程において、支持プレート２０に対する支持部材３０の取付高さを調整することにより、支持部材３０の高さ（支持プレート２０からの突出量）を調整することができる。また、支持部材３０と載置部材４０との間に高さ調整部材７０を設けることにより、載置部材４０の高さ（支持プレート２０からの突出量）を調整することができる。さらに、載置部材４０の頭部４２は外面が湾曲した嵌合凸部４３となっており、台部材５０の下面に設けた嵌合凹部５１に嵌まり込むようになっているため、台部材５０の傾きを調整することができる。
【００２９】
＜他の実施形態＞
本発明に係る壁材１０の支持構造は、上述した形態が基本であるが、壁材１０を取り付ける位置に応じて、支持プレート２０、支持部材３０、載置部材４０、台部材５０、固定部材６０の寸法や形状を適宜変更することができる。
【００３０】
例えば、図４に示すように、支持プレート２０をスラブ筋８０に固定するための固定部材６０を、両端部に雄ネジ部を有するＵ字状のネジ部材６４と、雄ネジ部にネジ付けるナット６５とにより構成してもよい。このような構成の場合には、支持プレート２０にネジ部材６４の両雄ネジ部を挿通するための挿通孔（図示せず）を設け、スラブ筋８０の下側からネジ部材６４のＵ字状部を臨ませ、雄ネジ部を挿通孔に挿通するとともにナット６５を取り付け、ナット６５を締め付けることにより、支持プレート２０をスラブ筋８０に固定することができる。
【００３１】
また、図５に示すように、載置部材４０を平座金４４及び固定ボルト４５で形成して、固定ボルト４５を用いて平座金４４の上部に載置プレート９０を取り付け、載置プレート９０上に台部材５０（ＰＣブロック）を載置する構成としてもよい。また、図５に示す例では、支持プレート２０をスラブ筋８０に固定するための固定部材６０を、一端部に雄ネジ部を有するＪ字状のネジ部材６６と、雄ネジ部にネジ付けるナット６７とにより構成してもよい。このような構成の場合には、支持プレート２０にネジ部材６６の雄ネジ部を挿通するための挿通孔（図示せず）を設け、スラブ筋８０の下側からネジ部材６６のＪ字状部を臨ませ、雄ネジ部を挿通孔に挿通するとともにナット６７を取り付け、ナット６７を締め付けることにより、支持プレート２０をスラブ筋８０に固定することができる。
【符号の説明】
【００３２】
１０  壁材
２０  支持プレート
２１  支持部材取付孔
２２  固定部材ボルト挿通孔
２３  ナット
３０  支持部材
４０  載置部材
４１  ネジ部
４２  頭部
４３  嵌合凸部
４４  平座金
４５  固定ボルト
５０  台部材
５１  嵌合凹部
６０  固定部材
６１  ボルト
６２  ナット
６３  フック
６４  ネジ部材
６５  ナット
６６  ネジ部材
６７  ナット
７０  高さ調整部材
８０  スラブ筋
９０  載置プレート
１００  スラブコンクリート
１１０  鉄筋コンクリート板
１１１  トラス筋
１２０  コンクリートパネル
【図１】
2019039268.tif 000003
【図２】
2019039268.tif 000004
【図３】
2019039268.tif 000005
【図４】
2019039268.tif 000006
【図５】
2019039268.tif 000007